(57)【要約】【課題】  無線通信ネットワーク内の無線端末を管理する方式の提供。【解決手段】  各無線端末は、自分が無線接続している相手無線端末を調査して無線端末間における無線接続情報を作成し、該作成された無線接続情報を他の無線端末に周知し、周知された無線接続情報を受信すると、受信した無線接続情報に基づいて自内の無線接続情報を更新し、該更新された無線接続情報を更に周知し、新規参入無線端末が存在する場合には、無線接続情報の該当部分に仮接続状態を示すデータを付加して無線接続情報を更新し、該更新された無線接続情報を更に周知する。これにより、各無線端末が保持する無線接続情報に他の無線端末について仮接続状態の無線端末か正式登録された無線端末かが記録され、該無線接続情報によってネットワークの構成を管理できる。【選択図】図８
2006128964.tif 000002
【特許請求の範囲】
【請求項１】
複数台の無線端末から構成される無線通信ネットワークにおけるネットワーク構成管理方式であって、
各無線端末は、
自分が無線接続している相手無線端末を調査して無線端末間における無線接続情報を作成し、該作成された無線接続情報を他の無線端末に周知し、
周知された無線接続情報を受信すると、受信した無線接続情報に基づいて自内の無線接続情報を更新し、該更新された無線接続情報を更に周知し、
新規参入無線端末が存在する場合には、無線接続情報の該当部分に仮接続状態を示すデータを付加して無線接続情報を更新し、該更新された無線接続情報を更に周知する、
ことで、各無線端末が保持する無線接続情報に他の無線端末について仮接続状態の無線端末か正式登録された無線端末かが記録され、これによってネットワークの構成を管理することを特徴とする無線通信ネットワークにおけるネットワーク構成管理方式。
【請求項２】
請求項１記載のネットワーク構成管理方式であって、
仮接続状態の無線端末が存在した場合、特定の無線端末が無線通信ネットワークの管理者に対して通知し、
該管理者によって承認作業が行われると、該無線端末は自内の無線接続情報に該仮接続状態の無線端末が正式登録されたという変更を行い、該無線接続情報を他の無線端末に周知する、
ことを特徴とする無線通信ネットワークにおけるネットワーク構成管理方式。
【請求項３】
請求項１記載のネットワーク構成管理方式であって、
前記無線端末は、前記無線接続情報に基づいて、パケット化されたデータを中継しながら任意の無線端末間をデータ転送し、
仮接続状態の無線端末から発信されたパケット化されたデータ、または、仮接続状態の無線端末宛のパケット化されたデータ、を正式登録された無線端末が受信した場合、該パケット化されたデータを破棄する、
ことを特徴とする無線通信ネットワークにおけるネットワーク構成管理方式。
【請求項４】
請求項１記載のネットワーク構成管理方式であって、
前記無線端末は、前記無線接続情報に基づいて、仮接続状態の無線端末を中継送信先として選択せずに、パケット化されたデータを中継しながら任意の無線端末間をデータ転送する、
ことを特徴とする無線通信ネットワークにおけるネットワーク構成管理方式。
【請求項５】
無線通信ネットワークを構成する無線端末であって、
自分が無線接続している相手無線端末を調査して無線端末間における無線接続情報を作成する、または、新規参入無線端末が存在する場合には無線接続情報の該当部分に仮接続状態を示すデータを付加して無線接続情報を更新する、または、他の無線端末から周知された無線接続情報を受信した場合には該情報に基づいて自内の無線接続情報を更新する、無線接続情報管理手段と、
他の無線端末に自内の無線接続情報を周知する手段と、
他の無線端末から無線接続情報を受信する手段と、
無線接続情報に基づいて、パケット化されたデータを中継しながら任意の無線端末間をデータ転送する手段と、
を備えることを特徴とする無線端末。
【発明の詳細な説明】
【技術分野】
【０００１】
本発明は、複数の機器が無線通信によってデータの送受を行う無線通信ネットワーク技術に関し、更に詳しくは、発信元の無線端末が種々の情報をパケット化して発信し、他の無線端末が中継を繰り返しながら着信先の無線端末まで転送する無線通信ネットワークシステムにおける無線端末の管理方式技術に関する。
【背景技術】
【０００２】
従来の無線通信ネットワーク、例えば、特許文献１または特許文献２に示されるような無線通信ネットワークにおいて、各無線端末は、無線端末間における無線接続情報の送受信を繰り返すことで、無線通信ネットワーク内の各無線端末までの相対的な位置関係を認識する。そして、無線接続情報に基づいて、発信元の無線端末から発信されたパケット化された種々の情報を他の無線端末が中継を繰り返し、任意の着信先の無線端末まで転送可能である。つまり、無線接続情報を送信する機能を有する無線端末であれば、無線通信ネットワークに参加可能であり、無線通信ネットワークを自動的に構築可能である。しかし、無線通信ネットワーク管理者にとっては、逆に不当な無線端末が無線通信ネットワークに接続されるなどの問題があった。
【０００３】
特許文献３には、基地局が形成するセル内に侵入する無線端末を、該セル内に登録可能な無線端末か否かを判断して、登録可の場合は該セル内で通信可能にし、登録不可の場合は通信を禁止するという無線ＬＡＮシステムが開示されている。移動可能な無線端末はセル内に侵入時に基地局に自識別情報を送信し、基地局が通信可能な端末を記す記憶手段に該無線端末を登録できない場合、基地局より該無線端末に登録不可のフレームが送信され、該フレームを受信した無線端末は、無線通信が不可能な状態に切り替えられる。よって、予め管理者などが通信を禁止したい無線端末などを前記記憶手段に登録しないように設定するなどして、無線通信を管理することが可能である。しかしながら、このシステムでは無線端末はセル内で無線通信を行うためにはまず基地局と情報を送受信する必要があり、この手法を特許文献１または特許文献２に示されるような、不特定多数の無線端末が無線端末間における無線接続情報の送受信を繰り返すことで、自動的に無線通信ネットワークを構築して無線通信を行うシステムに適用することは困難である。
【特許文献１】特開２０００−１３３７６号公報
【特許文献２】特開２０００−９２０６１号公報
【特許文献３】特開平８−２６５３５８号公報
【発明の開示】
【発明が解決しようとする課題】
【０００４】
上述のように、不特定多数の無線端末が自動的に無線通信ネットワークを構築する、特許文献１または特許文献２のような無線通信ネットワークシステムにおいて、無線通信ネットワークを構成する無線端末を無線通信ネットワーク管理者が管理できる方式が存在しない。
【０００５】
そこで、本発明の課題は、無線端末が自動的に無線通信ネットワークの構築を行うシステムにおいて、該システム内の無線端末を無線通信ネットワーク管理者が管理できる方式を提供することにある。更に、管理外の無線端末と管理されている無線端末間の情報の送受信する機能について制限することによって、不法に侵入した無線端末による盗聴、不法操作、データ破壊等を防ぐ方式を提供する。
【課題を解決するための手段】
【０００６】
上述した課題を解決するために、本発明では、従来技術のように自動的に無線通信ネットワークを構築するが、新規参入の無線端末は仮に無線接続しているとして無線通信ネットワークに仮接続状態であると登録し、仮接続状態であると登録された旨の無線接続情報を無線通信ネットワーク内に通知するようにした。そして、該仮接続状態の無線端末は、無線通信ネットワーク内の特定の無線端末によって検知され、無線通信ネットワークの管理者に通知され、無線通信ネットワークの管理者が承認し、承認された旨の無線接続情報が無線通信ネットワーク内に周知されることで正式に無線通信ネットワークに登録されようにした。また、仮接続状態の無線端末と正式登録の無線端末間でパケット化されたデータの送受信を行わないようにした。
【０００７】
本発明の一態様は、複数台の無線端末から構成される無線通信ネットワークにおけるネットワーク構成管理方式であって、各無線端末は、自分が無線接続している相手無線端末を調査して無線端末間における無線接続情報を作成し、該作成された無線接続情報を他の無線端末に周知し、周知された無線接続情報を受信すると、受信した無線接続情報に基づいて自内の無線接続情報を更新し、該更新された無線接続情報を更に周知し、新規参入無線端末が存在する場合には、無線接続情報の該当部分に仮接続状態を示すデータを付加して無線接続情報を更新し、該更新された無線接続情報を更に周知する、ことで、各無線端末が保持する無線接続情報に他の無線端末について仮接続状態の無線端末か正式登録された無線端末かが記録され、これによってネットワークの構成を管理する。
【０００８】
更に、仮接続状態の無線端末が存在した場合、特定の無線端末が無線通信ネットワークの管理者に対して通知し、該管理者によって承認作業が行われると、該無線端末は自内の無線接続情報に該仮接続状態の無線端末が正式登録されたという変更を行い、該無線接続情報を他の無線端末に周知する。
【０００９】
更に、前記無線端末は、前記無線接続情報に基づいて、パケット化されたデータを中継しながら任意の無線端末間をデータ転送し、仮接続状態の無線端末から発信されたパケット化されたデータ、または、仮接続状態の無線端末宛のパケット化されたデータ、を正式登録された無線端末が受信した場合、該パケット化されたデータを破棄する。または、前記無線端末は、前記無線接続情報に基づいて、仮接続状態の無線端末を中継送信先として選択せずに、パケット化されたデータを中継しながら任意の無線端末間をデータ転送する。
【００１０】
本発明の一態様は、無線通信ネットワークを構成する無線端末であって、自分が無線接続している相手無線端末を調査して無線端末間における無線接続情報を作成する、または、新規参入無線端末が存在する場合には無線接続情報の該当部分に仮接続状態を示すデータを付加して無線接続情報を更新する、または、他の無線端末から周知された無線接続情報を受信した場合には該情報に基づいて自内の無線接続情報を更新する、無線接続情報管理手段と、他の無線端末に自内の無線接続情報を周知する手段と、他の無線端末から無線接続情報を受信する手段と、無線接続情報に基づいて、パケット化されたデータを中継しながら任意の無線端末間をデータ転送する手段と、を備える。
【００１１】
本発明によれば、無線端末が自動的に無線通信ネットワークの構築を行うシステムにおいて、該システム内の無線端末が正式登録されたものか否かの区別をすることが可能で、無線通信ネットワーク管理者が各無線端末を管理することが可能である。また、正式登録されていない無線端末のデータ送受信を制限するため、不法侵入した無線端末による盗聴、不法操作、データ破壊等を防ぐことが可能である。
【発明の効果】
【００１２】
本発明によれば、無線端末が自動的に無線通信ネットワークの構築を行うシステムにおいて、該システム内の無線端末を無線通信ネットワーク管理者が管理することが可能で、無線通信ネットワーク管理者によって正式に登録された無線端末のみによる閉ざされた無線通信ネットワークを構築可能である。新規の無線端末を追加する場合も、無線通信ネットワーク管理者の承認によって追加登録可能である。また、正式登録されてない無線端末のデータ送受信を制限することで、不法侵入した無線端末による盗聴、不法操作、データ破壊等を防ぐことが可能である。
【発明を実施するための最良の形態】
【００１３】
以下、図面を参照して、本発明の実施の形態について説明する。
本発明の無線通信ネットワークシステムにおけるネットワーク構成の管理は、
１．無線ネットワークの構築と無線端末の登録処理
２．無線ネットワークに新規参入する無線端末の登録処理
３．無線ネットワークにおけるパケット送受信の制限
を行うことで成り立つ。
【００１４】
そこで、以下に１〜３を順に説明する。
１．無線ネットワークの構築と無線端末の登録処理
本発明の各無線端末は、無線端末を識別するために、ユニークな管理番号（以下、無線機ＩＤと呼ぶ）が付与されている。各無線端末は、自分が接続している相手無線端末を調査して無線端末間における無線接続情報を作成し、周期的に送信（周知）する。ここで「周知」とは、すなわち特定の無線端末を宛先として無線接続情報とを送信するのではなく、宛先を特定せずに送信することを意味する。また該無線接続情報を受信した無線端末は、該情報に基づいて自内無線接続情報を編集し、以降、編集された無線接続情報を周期的に送信することで、無線通信ネットワークを構築する。
【００１５】
図１に、無線接続情報のデータフォーマットの例を示す。無線接続情報は、無線機ＩＤ、ホップ数、仮接続フラグから構成されている。無線機ＩＤは、無線通信ネットワーク内に存在する全ての無線端末の無線機ＩＤが格納されている。ホップ数には、該当する無線機ＩＤに送信する為の中継回数が格納されている。仮接続フラグには、接続状態の内容を格納されており、ここでは、１であれば、仮接続状態を示し、０であれば正式接続（正式登録）状態であることを示すことにする。
【００１６】
今、図２に示すように無線端末が設置されたとする。図中のＡ〜Ｇが無線端末を識別する無線機ＩＤである。例えば、無線端末Ａが無線接続情報を送信し、無線端末Ｂと無線端末Ｃがその無線接続情報を受信したとする。無線端末Ｂまたは無線端末Ｃは無線端末Ａが存在することを認識し、無線端末Ｂまたは無線端末Ｃ内で管理する無線接続情報にそれぞれ無線端末Ａを登録する。登録内容は、図１に示したように、無線機ＩＤとホップ数と仮接続フラグである。図３に、この時点での無線端末Ｂの無線接続情報を示す。各無線端末は、周期的に自端末内の無線接続情報を送信（周知）し、受信した無線端末がその内容を元に自端末内の無線接続情報を編集し、編集した無線接続情報をさらに送信（周知）することで、無線通信ネットワーク内の全無線端末の位置関係を把握する。
【００１７】
このようにして、図２の無線端末の配置から図４に示すような無線通信ネットワークが構築される。図４において、実線は直接通信可能な無線通信路を示している。
次に、無線通信ネットワークへの無線端末の登録処理について述べる。まず、無線端末は無線接続情報内に仮接続の無線端末が存在するか検出をする。仮接続の無線端末が存在した場合は、無線端末が仮接続の無線端末の存在を、無線通信ネットワーク管理者に通知する。通知の方法としては、例えばコンピュータなどのＰＣ等を介して無線通信ネットワーク管理者からの要求に対して通知する方法や、無線端末が自動的に特定のタイミングで通知する方法などがある。また、通知内容も、例えば、仮接続の無線端末の無線機ＩＤのみを通知してもよく、無線接続情報そのものを通知してもよい。通知を受けた無線通信ネットワーク管理者は、正式登録するか否かを判断し、正式登録を承認するのであれば、無線接続情報の仮接続フラグを０に編集するという登録作業を行う。そして、正式登録された無線接続情報を各無線端末が送信（周知）することで、無線通信ネットワーク全体に正式登録された無線接続情報が伝達される。
【００１８】
図４の無線通信ネットワークを例に登録処理について具体的に説明する。
例えば、無線通信ネットワーク管理者が無線端末Ａから登録処理を行うとする。そして、今無線端末Ａ〜Ｇを登録するとする。無線端末Ａが登録処理前に、無線端末と通信して作成した無線接続情報を図５Ａに示す。図５Ａでは、無線端末Ａ〜Ｇの仮接続フラグが全て１となっており、無線端末Ａ〜Ｇが仮登録の状態であることを示している。尚、ホップ数は無線端末Ａから対応する無線端末までの中継回数を示す。そして、無線端末Ａは図５Ａの無線接続情報から無線端末Ａ〜Ｇが仮接続であることを検知する。そこで、無線通信ネットワーク管理者に通知する。通知内容は、仮接続の無線端末の無線機ＩＤのみであるとする。この場合の通知したデータ例を図６に示す。ここでは無線通信ネットワーク管理者は、無線端末Ａ〜Ｇの正式登録を承認するとする。すると、登録作業後、無線端末Ａの無線接続情報の無線端末Ａ〜Ｇの仮接続フラグはすべて０になる。登録され編集が行われた無線端末Ａの無線接続情報を図５Ｂに示す。図５Ｂでは、無線端末Ａ〜Ｇの仮接続フラグがすべて０となり、無線端末Ａ〜Ｇが正式登録されたことを示している。
【００１９】
そして、無線端末Ａが周期的に自内の無線接続情報を送信（周知）する。無線端末Ａが送信（周知）した無線接続情報を無線端末Ｂが受信すると、無線端末Ｂは自内の無線接続情報と比較し、仮接続フラグが１から０に更新されていることから、無線端末Ａ〜Ｇが正式登録されたことを認識する。そして、無線端末Ｂは自内の無線接続情報を編集し、さらにそれを送信（周知）する。登録作業後、無線端末Ｂが無線端末Ａから無線接続情報を受信し、それに基づいて編集した後の無線接続情報を図７Ａに示す。仮接続フラグがすべて０となっており無線端末Ａ〜Ｇが正式登録されたことが認識できる。また、無線端末Ｃも同様に、無線端末Ａから無線接続情報を受信し、それに基づいて自内の無線接続情報を編集し、それを送信（周知）する。更新された無線端末Ｃの無線接続情報についても図７Ｂに示す。
【００２０】
更に、無線端末Ｄが、無線端末Ｂまたは無線端末Ｃから周知された無線接続情報を受信すると、同様に無線端末Ｄが無線通信ネットワークに正式登録されたことを認識し、自内の無線接続情報を編集し、該無線接続情報を送信（周知）する。このようなことが無線端末Ｅ〜Ｇにおいても行われ、無線通信ネットワーク内の各無線端末が正式に登録されたことがネットワーク全体に伝達される。
【００２１】
このように、無線端末内部で管理されている無線接続情報が各無線端末から周期的に送信（周知）されることでネットワーク全体に各無線端末の登録情報が伝達される。ある無線端末が送信した無線接続情報を受信した無線端末は、受信した情報を自内で管理している情報に更新し、その更新した情報が周期的に送信されることになる。また、無線接続情報は各無線端末が管理している情報であり、全無線端末が同じ情報を管理していることではないので、各無線端末が送信する情報は重複した情報にはならない。すなわち図７Ａ，図７Ｂに無線端末Ｂ、Ｃの無線接続情報を示したが、自内で管理する無線接続情報の自無線機に対応するホップ数は０になる、つまり図７Ａでは無線端末ＢのＩＤに対応するホップ数が０、図７Ｂでは無線端末ＣのＩＤに対応するホップ数が０であることから、受信側はどの無線端末から受信した情報であるかを容易に判別することができる。無線接続情報を受信した無線端末は、該情報内の仮接続フラグについて自内の情報と異なるか否かを比較して、異なる場合は自内の無線接続情報の仮接続フラグについて更新して、それを周期的に送信するのである。また、無線端末は周期的に無線端末情報を送信するので、受信側は同じ無線端末からは同じ情報を何度も受信することになる、すなわち、図４において無線端末Ｄや無線端末Ａは無線端末Ｂからは同じ無線接続情報を何度も受信することになるが、それぞれの無線端末は同じ無線端末からの重複する情報の回避はとくには行わない。
【００２２】
図８に無線通信ネットワークの構築と登録処理の様子を概略的に示した。まず（１）無線通信ネットワークを構築し、（２）各無線端末が仮接続の状態であることを周知し、（３）特定の無線端末Ａが無線通信ネットワーク管理者に通知し、（４）ネットワーク管理者が無線端末を正式に登録し、（５）正式登録された無線接続情報が周知され、ネットワーク全体に各無線端末が正式登録されたことが伝達される。
【００２３】
２．無線ネットワークに新規参入する無線端末の登録処理
次に、正式登録された無線端末により無線通信ネットワークに、新規に無線端末を追加する場合について図９の例を用いて述べる。図９において、無線端末Ａ〜Ｉが正式登録されており、無線端末Ｊが新規に追加される無線端末である。また、実線は無線通信路を示す。無線端末Ｊは自分の仮接続フラグが１、すなわち仮接続であることを示す無線接続情報を送信（周知）する。この無線接続情報を無線端末Ｈが受信したとする。無線端末Ｈは無線端末Ｊが送信した無線接続情報を元に、無線端末Ｊを新規に追加された無線端末であると判断し、無線端末Ｊについての無線機ＩＤとホップ数と仮接続フラグを自内の無線接続情報に追加する。この時点での無線端末Ｈの無線接続情報を図１０に示す。図１０において、無線端末Ａ〜Ｉは正式登録されているため仮接続フラグが０で、無線端末Ｊは新規参入端末であるため、仮接続が１となっている。この無線接続情報を無線端末Ｈが周期的に送信（周知）し、受信した無線端末も自内の無線接続情報の編集と送信を行い、これを繰り返しながら無線通信ネットワーク内に無線端末Ｊが仮接続の状態であるとして登録される。
【００２４】
すると、無線通信ネットワーク管理者は、無線端末Ａの無線接続情報より、無線端末Ｊが仮接続無線端末として登録されていることを確認する。無線端末Ｊの登録は、上述した登録処理と同様に行われる。すなわち、ネットワーク管理者が無線端末Ｊを正式登録すると承認し、登録作業を終えると、無線端末Ａは無線端末Ｊが正式に登録されたことを示す無線接続情報を周知し、それが幾つかの無線端末を中継して無線端末Ｈに伝達され、無線端末Ｈが更に周知した無線接続情報を無線端末Ｊが受信し、正式登録されたことを確認する。
【００２５】
図１１に、以上の様子を概略的に示した。まず（１）無線端末Ｊが無線通信ネットワークに新規参入する。（２）無線端末Ｊは仮接続状態であることを送信（周知）する。（３）特定の無線端末Ａが無線通信ネットワーク管理者に無線端末Ｊが仮接続状態であることを通知し、（４）ネットワーク管理者が無線端末Ｊを正式登録し、（５）無線端末Ｊが正式登録されたことが周知され、（６）無線端末Ｊにも伝達され正式登録されたことを確認する。
【００２６】
３．無線ネットワークにおけるパケット送受信の制限
以上に説明したように、本発明の無線通信ネットワークでは、ネットワーク管理者によって正式に登録された無線端末であるか、正式に登録されておらず仮に接続しているだけの無線端末であるか随時区別をすることが可能である。そこで、仮接続の無線端末と正式に登録されている無線端末間のパケット送受信を制限することで、例えば不法に侵入した無線端末による盗聴や、不法操作、データ破壊等を防ぐことが可能である。
【００２７】
このような仮接続無線端末と正式登録された無線端末間のパケット送受信を制限する方法を以下に述べる。制限方法としては、仮接続された無線端末からの無線接続情報は受信しなければならないため、その他のパケットについて以下のように制限をする。
【００２８】
（ｉ）仮接続された無線端末宛のパケット、もしくは仮接続された無線端末からのパケットを、正式登録された無線端末は破棄する。
（ｉｉ）仮接続された無線端末を中継パケットの送信先として選択しない。
【００２９】
上記（ｉ）は、仮接続された無線端末に対するパケットの発着信を制限するものであり、上記（ｉｉ）は、仮接続された無線端末に対するパケットの中継を制限するものである。仮接続した無線端末を中継器として使用する場合は（ｉ）が有効である。
【００３０】
（ｉ）、（ｉｉ）について、図１２に示す仮接続状態の無線端末が存在する無線通信ネットワークを例に具体的に説明する。
図１２において、無線端末Ｊが仮接続状態であるとする。図１２では、実線は正式登録された無線端末間の通信路を示し、破線が仮接続された無線端末間の通信路を示す。無線端末Ｊがパケットを発信すると、無線端末Ｈおよび無線端末Ｉがそのパケットを受信する。しかし、無線端末Ｊは仮接続状態の無線端末であるため、（ｉ）の「仮接続された無線端末からのパケットは破棄する」という制限から無線端末Ｈおよび無線端末Ｉはそのパケットを破棄する。これにより、仮接続された無線端末Ｊから、正式登録された無線端末Ｈまたは無線端末Ｉを介して無線通信ネットワークにパケットの侵入を防ぐことが可能である。
【００３１】
また、図１２において、なんらかの原因で、無線端末Ａから仮接続の無線端末Ｊ宛のパケットが発信された場合、仮接続状態の無線端末宛のパケットであることが無線接続情報から判断可能であるため、（ｉ）の「仮接続された無線端末宛のパケットは破棄する」という制限から無線端末Ｂまたは無線端末Ｃは、該パケットを破棄する。これにより、仮接続された無線端末Ｊになんらかの原因で発信されたパケットが流出することを防ぐことが可能である。
【００３２】
更に、（ｉｉ）の制限により、無線接続情報の仮接続フラグを参照し、仮接続状態であれば、該無線端末を中継送信先として選択しない、すなわち、図１２において、無線端末Ｊを中継送信先として指定しないことで、仮接続状態の無線端末へのデータ流出を防ぐことが可能である。これにより無線通信ネットワークの盗聴等を防ぐことが可能である。
【００３３】
以上のように、本発明の無線通信ネットワークの構成管理方式における、１．無線ネットワークの構築と無線端末の登録処理、２．無線ネットワークに新規参入する無線端末の登録処理、３．無線ネットワークにおけるパケット送受信の制限、についてそれぞれ詳細に説明した。
【００３４】
ところで、本発明の無線通信ネットワークを構成する無線端末の機能ブロック図を図１３に示しておく。無線端末１３１は、無線接続情報管理手段１３２、無線接続情報周知手段１３３、無線接続情報受信手段１３４、データ転送手段１３５を備える。
【００３５】
無線接続情報管理手段１３２は、自分が無線接続している相手無線端末を調査して、無線端末間における無線接続情報を作成する、または、新規参入無線端末が存在する場合には無線接続情報の該当部分に仮接続状態を示すデータを付加して無線接続情報を更新する、または、他の無線端末から周知された無線接続情報を受信した場合には該情報に基づいて自内の無線接続情報を更新する、といった無線接続情報の管理を行う。
【００３６】
無線接続情報周知手段１３３は、管理される無線接続情報をまわりの無線端末に周知を行う。
無線接続情報受信手段１３４は、周知された無線接続情報を受信し、無線接続情報管理手段１３２に伝達する役割を果たす。
【００３７】
データ転送手段１３５は、無線接続情報に基づいて任意の無線端末間をデータ転送する役割を果たす。この機能により、仮接続の無線端末と正式に登録されている無線端末間のパケット送受信が制限できる。
【００３８】
本発明は、図１３に示した無線端末が複数集まり、ネットワークを構成することで実現することが可能である。
以上本発明について詳細に説明したが、本発明は以上に述べたことに限定されるものではなく、本発明の要旨を逸脱しない範囲内で様々の構成または形状をとることができることはいうまでもない。
【図面の簡単な説明】
【００３９】
【図１】無線接続情報のデータフォーマットの例を示す図である。
【図２】無線端末の配置例を示す図である。
【図３】無線端末Ｂの無線接続情報を示す図である。
【図４】構築された無線通信ネットワークを示す図である。
【図５Ａ】登録作業前の無線端末Ａの無線接続情報を示す図である。
【図５Ｂ】登録作業後の無線端末Ａの無線接続情報を示す図である。
【図６】無線通信ネットワーク管理者に通知される通知内容例を示す図である。
【図７Ａ】登録作業後、無線端末Ｂが無線端末Ａから無線接続情報を受信した後、周知する無線接続情報である。
【図７Ｂ】登録作業後、無線端末Ｃが無線端末Ａから無線接続情報を受信した後、周知する無線接続情報である。
【図８】ネットワーク構築と登録処理の概略を示す図である。
【図９】無線通信ネットワークに新規に無線端末を追加する例を示す図である。
【図１０】無線端末Ｈの無線接続情報を示す図である。
【図１１】新規参入する無線端末の登録処理の概要を示す図である。
【図１２】仮接続状態の無線端末が存在する無線通信ネットワークを示す図である。
【図１３】本発明の無線通信ネットワークを構成する無線端末の機能ブロック図を示す図である。
【符号の説明】
【００４０】
１３１        無線端末
１３２        無線接続情報管理手段
１３３        無線接続情報周知手段
１３４        無線接続情報受信手段
１３５        データ転送手段
【図１】
2006128964.tif 000003
【図２】
2006128964.tif 000004
【図３】
2006128964.tif 000005
【図４】
2006128964.tif 000006
【図５Ａ】
2006128964.tif 000007
【図５Ｂ】
2006128964.tif 000008
【図６】
2006128964.tif 000009
【図７Ａ】
2006128964.tif 000010
【図７Ｂ】
2006128964.tif 000011
【図８】
2006128964.tif 000012
【図９】
2006128964.tif 000013
【図１０】
2006128964.tif 000014
【図１１】
2006128964.tif 000015
【図１２】
2006128964.tif 000016
【図１３】
2006128964.tif 000017